(57)【特許請求の範囲】
【請求項１】
固定接触子が取付固定された中間ケースと、この中間ケースを覆う左右のケースとを備えた配線用遮断器において、
先端を中間ケースより浮き上がらせて形成した固定接触子とその近傍の中間ケースとの間の空間内に、アークガスから中間ケースを保護する中間ケース保護部材を、中間ケースから分離させて設けたことを特徴とする配線用遮断器。
【請求項２】
前記中間ケース保護部材が、左右のケースの内面に突設されたものであることを特徴とする請求項１記載の配線用遮断器。
【請求項３】
前記中間ケース保護部材が固定接触子の下側を覆う形状であることを特徴とする請求項２記載の配線用遮断器。
【発明の詳細な説明】
【技術分野】
【０００１】
本発明は、短絡遮断時に発生するアークガスによる中間ケースの絶縁劣化を防止した配線用遮断器に関するものである。
【背景技術】
【０００２】
配線用遮断器は、回路に短絡電流などの大電流が流れたことを検出すると接点を開放して電流を遮断する機能を有する機器であるが、接点開放時に固定接点と可動接点との間にアーク放電が生じ、アークガスが発生することがある。発生したアークガスは高温で固定接点と可動接点との間の空間に充満し、絶縁物で囲まれた空間から排気孔の方向に移動する。このためアークガスが固定接触子を固定取付した絶縁部の絶縁劣化を招く。
【０００３】
そこで特許文献１に示すように、配線用遮断器の内部に消弧装置を組み込んで発生したアークを消滅させたり、配線用遮断器を構成する絶縁物をアークから保護する保護部材を設けたりすることが行われている。
【０００４】
しかし、アークの発生時には接点部分が非常に高温になるため、消弧装置を設けて発生したアークを消滅させても、固定接点を支持している中間ケースに絶縁劣化が生ずるおそれがあった。
【０００５】
また、固定接点の周囲に別の保護部材を組み込む場合には部品点数が増加し、組み立ての工数も増加するため、コストアップにつながるという問題があった。
【先行技術文献】
【特許文献】
【０００６】
【特許文献１】特開２００３−２９７２１５号公報
【発明の概要】
【発明が解決しようとする課題】
【０００７】
従って本発明の主な目的は上記した従来の問題点を解決し、固定接点の周辺の中間ケースをアークガスから保護して絶縁劣化を防止することができる配線用遮断器を提供することである。また本発明の他の目的は、部品点数を増加させることなく、中間ケースの絶縁劣化を防止できる配線用遮断器を提供することである。
【課題を解決するための手段】
【０００８】
上記の課題を解決するためになされた本発明は、固定接触子が取付固定された中間ケースと、この中間ケースを覆う左右のケースとを備えた配線用遮断器において、先端を中間ケースより浮き上がらせて形成した固定接触子とその近傍の中間ケースとの間の空間内に、アークガスから中間ケースを保護する中間ケース保護部材を、中間ケースから分離させて設けたことを特徴とするものである。
【０００９】
なお、前記中間ケース保護部材が、左右のケースの内面に突設されたものであることが好ましく、前記中間ケース保護部材が固定接触子の下側を覆う形状であることが好ましい。
【発明の効果】
【００１０】
本発明の配線用遮断器は、固定接触子とその近傍の中間ケースとの間の空間内に、アークガスから中間ケースを保護する中間ケース保護部材を、中間ケースから分離させて設けたものであるから、固定接触子と中間ケースとの沿面距離及び空間距離を長くすることができ、アークが中間ケースの表面に沿って移動することを遮断できる。
【００１１】
また中間ケース保護部材は中間ケースから分離させてあるので中間ケース保護部材を経由してアークが連続することもなく、中間ケースの絶縁劣化を防止することができる。さらに請求項２のように中間ケース保護部材を左右のケースの内面に突設した構造とすれば、部品点数の増加や組み立て工数の増加もない。
【図面の簡単な説明】
【００１２】
【図１】実施形態の配線用遮断器の分解斜視図である。
【図２】左ケースを開いた状態の斜視図である。
【図３】要部の側面図である。
【図４】中間ケース保護部材の形状を示す左右のケースの斜視図である。
【図５】中間ケース保護部材と左右のケースを省略した要部の斜視図である。
【図６】中間ケース保護部材と左右のケースと固定接触子を省略した要部の斜視図である。
【図７】本発明におけるアークガスの伝わり方を示す説明図である。
【発明を実施するための形態】
【００１３】
以下に本発明の実施形態を示す。
図１は本発明の配線用遮断器の分解斜視図であり、この図に示すように、本発明の配線用遮断器は中間ケース１と、左右のケース２により外郭を形成し、その内部に開閉機構部などを組み込んだ構造である。左右のケース２はビス３によって相互に固定される。なおこれらの中間ケース１と左右のケース２はともに、絶縁性の樹脂により成形されたものである。
【００１４】
開閉機構部はバイメタル４、トリガレバー５、ハンドル６、クロスバー７等からなり、過電流を検出したときに可動接触子８を固定接触子９から上昇させ、可動接点１０を固定接点１１から引き離して回路を遮断することは従来と同様である。なお、本実施形態の配線用遮断器はプラグイン型であるため、電源側には複数のプラグ部１２が設けられ、図示しない母線バーにプラグイン接続される構造となっている。
【００１５】
図２、図３に示すように、固定接触子９の先端部上面には固定接点１１が形成されており、その上方位置に可動接点１０がある。固定接触子９は中間ケース１の底部上面に固定されているが、図３に示すように固定接触子９の先端は中間ケース１よりも突出し、中間ケース１の底部上面から浮き上がった位置にある。なお図５、図６に示すように固定接触子９の固定接点１１を保持する中間ケース１に一体に形成された固定接点保持部１５を有しており、固定接点１１の先端を浮かせるように形成している。
【００１６】
図２、図４に示されるように、左右のケース２の内面には中間ケース１の中央隔壁１３に向かって中間ケース保護部材１４が水平に突設されている。この実施形態の中間ケース保護部材１４は図３、図４に示されるように、上下の水平面間を垂直壁で連結した略クランク状の断面形状を備えたもので、左右のケース２を中間ケース１に組み付けた際に、固定接触子９とその近傍の中間ケース１との間の空間内に挿入される構造である。またこの中間ケース保護部材１４は、中間ケース１から分離した位置において上記空間内に挿入される。なお、左右のケース２をビス３によって相互に固定したとき、中間ケース保護部材１４の先端面は中間ケース１の中央隔壁１３に当接するようになっている。
【００１７】
中間ケース保護部材１４は、大電流遮断時に固定接点１１と可動接点１０との間で発生するアークガスから中間ケース１を保護するための部材であり、この実施形態では中間ケース保護部材１４の下側の水平面と垂直壁とによって固定接触子９の先端部下側を覆うようになっている。これによって固定接点１１から下側の中間ケース１にアークが流れることを防止している。
【００１８】
このほか、図７に示すように固定接点１１の近傍の中間ケース１には複数の凹凸部１６をリブ状に形成し、沿面距離を長くしている。これらの凹凸部１６には、大電流遮断時によるガスに対して固定接点１１付近を補強する効果もある。
【００１９】
次に本発明の作用効果を説明する。
本発明の中間ケース保護部材１４を持たない通常の配線用遮断器では、大電流遮断時に固定接点１１と可動接点１０との間で発生するアークはその近傍の絶縁材の表面に沿って流れようとする。しかし本発明の配線用遮断器は、固定接触子９とその近傍の中間ケース１との間の空間内に左右ケース２の内面より形成した中間ケース保護部材１４を中間ケース１から分離させて設けてあるので、中間ケース保護部材１４と中間ケース１とは直接接触していないので、固定接触子９と中間ケース１との間が中間ケース保護部材１４を介してアークが連続することもない。直接接触していると、中間ケース保護部材１４に沿って中間ケース１にアークが移動することにより中間ケース１の絶縁が劣化する問題があるので、中間ケース保護部材１４が固定接触子９及び中間ケース１と分離させて形成するものである。また、固定接触子９の側方には凹凸部１６を形成しているため、沿面距離が図７に示すように長くなる。
【００２０】
さらに固定接触子９とその近傍の中間ケース１との間の空間距離も、それらの間に存在する中間ケース保護部材１４によって長くなる。このように中間ケース保護部材１４によって沿面距離とともに空間距離も長くなるので、絶縁物で囲まれた空間から排気孔の方向に移動するアークガスにより中間ケース１の表面の絶縁劣化を防止することができる。
【００２１】
上記したように、この実施形態では中間ケース保護部材１４を断面が略クランク状のものとしたが、可動接触子９の動きと干渉しない程度に垂直部などを形成し、空間距離をより長くすることも可能である。
【００２２】
さらにこの中間ケース保護部材１４は左右のケース２の内面に突設されたものであるため、中間ケース１に対して左右のケース２をビス３で組み付けるだけでよく、別部品を必要としないので、組み立てが簡単であるうえ、部品点数が増加することもなく、コストアップを抑制することができる。
【００２３】
以上に説明したように、本発明によれば、部品点数を増加させることなく、固定接点１１の周辺の中間ケース１をアークガスから保護して絶縁劣化を防止することができる。このため中間ケース１の絶縁性の劣化に伴うトラブルを、低コストで回避することができる利点がある。
【符号の説明】
【００２４】
１  中間ケース
２  左右のケース
３  ビス
４  バイメタル
５  トリガレバー
６  ハンドル
７  クロスバー
８  可動接触子
９  固定接触子
１０  可動接点
１１  固定接点
１２  プラグ部
１３  中央隔壁
１４  中間ケース保護部材
１５  固定接点保持部
１６  凹凸部
【図１】
0005957715.tif 000002
【図２】
0005957715.tif 000003
【図３】
0005957715.tif 000004
【図４】
0005957715.tif 000005
【図５】
0005957715.tif 000006
【図６】
0005957715.tif 000007
【図７】
0005957715.tif 000008